(57)【特許請求の範囲】
【請求項１】
プラズマディスプレイパネルの映像投射側に直接積層され、入射した光を制御して出射する複数の層を備える光学シートであって、
前記複数の層のうちの少なくとも２つの層に、
光を透過可能であるとともに断面形状が略台形を有してシート面に沿って並列され、屈折率がＮｐである材料により構成されるプリズム部と、
光を吸収可能であるとともに前記プリズム部間に、前記プラズマディスプレイパネル側に断面形状で幅広の底面及び該底面の端部に前記プラズマディスプレイパネルから離れる方向に延在する斜面を有して配置され、屈折率がＮｂである材料が充填される光吸収部と、
を具備する光学機能シート層を備え、
前記Ｎｐと前記Ｎｂとが、Ｎｐ−Ｎｂで表される屈折率差が０．０５以上である関係を有し、
前記光学機能シート層の前記プリズム部及び前記光吸収部が前記断面形状を維持して長手方向に延在して形成されるとともに、前記光学機能シート層が２枚積層され、該２枚の光学機能シート層の前記長手方向が一方と他方で直交する方向に延びるように積層されることを特徴とする光学シート。
【請求項２】
２枚の前記光学機能シート層の一方には前記光吸収部の前記幅広の底面側に粘着剤が配置され、該粘着剤が最表層である請求項１に記載の光学シート。
【請求項３】
前記光吸収部の前記斜面における該斜面とシート出光面の法線との成す角が、入光面側と出光面側とで異なるように、曲線及び／又は折れ線状の断面形状を有することを特徴とする請求項１又は２に記載の光学シート。
【請求項４】
前記光吸収部の斜面が、該斜面と、シート出光面の法線との成す角が、いずれの位置でも０度より大きく、１０度以下であることを特徴とする請求項１〜３のいずれか一項に記載の光学シート。
【請求項５】
前記光吸収部には平均粒径が１μｍ以上の光吸収性を有する粒子を含有することを特徴とする請求項１〜４のいずれか一項に記載の光学シート。
【請求項６】
前記２枚の光学機能シート層のうち一方を前記長手方向が垂直である光学機能シート層とするとともに他方を前記長手方向が水平である光学機能シート層とし、
前記長手方向が垂直である光学機能シート層の前記光吸収部の前記斜面が成す角の平均角度が、前記長手方向が水平である光学機能シート層の前記光吸収部の前記斜面が成す角の平均角度よりも大きく形成され、及び／又は、前記長手方向が垂直である光学機能シート層の前記光吸収部のシート厚さ方向大きさが、前記長手方向が水平である光学機能シート層の前記光吸収部のシート厚さ方向大きさよりも小さく形成されていることを特徴とする請求項１〜５のいずれか一項に記載の光学シート。
【発明の詳細な説明】
【技術分野】
【０００１】
本発明は、プラズマテレビの映像源であるプラズマディスプレイパネル（以下、「ＰＤＰ」と記載することがある。）の映像投射側に直接積層される光学シート及び該光学シートを備える表示装置に関し、詳しくは、これにより視野角特性を改善し、ゴースト像の抑制をすることができる光学シート及び該光学シートを備える表示装置に関する。
【背景技術】
【０００２】
従来において、映像源からの光を制御して、例えば輝度、視野角、コントラスト等を良好なものとして良質な映像光を出射させる光学シートが提案されている（例えば特許文献１等）。
【先行技術文献】
【特許文献】
【０００３】
【特許文献１】特開２００６−１４５６１１号公報
【発明の開示】
【発明が解決しようとする課題】
【０００４】
しかし、これまでの光学シートにおいて正面から少しでもはずれると急に画面が暗く見えるようになってしまう場合があり、明るく見える視野角をできるだけ広くしたいとの要望があった。
【０００５】
また、近年におけるプラズマテレビは、映像源であるＰＤＰの映像投射側（観察者側）に直接光学シートを接着し、さらなる薄型化が図られる傾向にある。これは直貼りタイプと称され、これを適用したプラズマテレビでは、映像源であるＰＤＰに光学シートが直接接着されるため、特許文献１に記載の光学シートのようなこれまでの技術を利用することができないことが多くさらなる改善が望まれていた。
【０００６】
そこで本発明では、ＰＤＰに直接積層され、ＰＤＰからの光を有効に利用して、視野角特性を向上させるとともに、ゴースト発生を抑制することも可能な光学シート及び該光学シートを備える表示装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、プラズマディスプレイパネル（２）の映像投射側に直接積層され、入射した光を制御して出射する複数の層を備える光学シート（２０）であって、複数の層のうちの少なくとも２つの層に、光を透過可能であるとともに断面形状が略台形を有してシート面に沿って並列され、屈折率がＮｐである材料により構成されるプリズム部（１６、１６、…、２６）と、光を吸収可能であるとともにプリズム部間に、プラズマディスプレイパネル側に断面形状で幅広の底面及び該底面の端部にプラズマディスプレイパネルから離れる方向に延在する斜面を有して配置され、屈折率がＮｂである材料が充填される光吸収部（１３、１３、…）とを具備する光学機能シート層（１２、２２）を備え、ＮｐとＮｂとが、Ｎｐ−Ｎｂで表される屈折率差が０．０５以上である関係を有し、光学機能シート層のプリズム部及び光吸収部が断面形状を維持して長手方向に延在して形成されるとともに、光学機能シート層が２枚積層され、該２枚の光学機能シート層の長手方向が一方と他方で直交する方向に延びるように積層されることを特徴とする光学シートを提供することにより前記課題を解決する。
【０００９】
請求項２に記載の発明は、請求項１に記載の光学シート（１０、２０）における２枚の光学機能シート層（１２、２２）の一方には光吸収部の幅広の底面側に粘着剤が配置され、該粘着剤が最表層である。
【００１０】
請求項３に記載の発明は、請求項１又は２に記載の光学シート（１０、２０）における光吸収部（１３、１３、…）の斜面における該斜面とシート出光面の法線との成す角が、入光面側と出光面側とで異なるように、曲線及び／又は折れ線状の断面形状を有することを特徴とする。
【００１１】
請求項４に記載の発明は、請求項１〜３のいずれか一項に記載の光学シート（１０、２０）における光吸収部（１３、１３、…）の斜面が、該斜面と、シート出光面の法線との成す角が、いずれの位置でも０度より大きく、１０度以下であることを特徴とする。
【００１２】
ここで、曲線におけるシート出光面の法線との成す角は、該曲線をシート厚さ方向に１０等分し、各曲線の端部同士を結ぶ直線がシート出光面の法線と成す角により定義する。
【００１３】
請求項５に記載の発明は、請求項１〜４のいずれか一項に記載の光学シート（１０）の光吸収部（１３、１３、…）に平均粒径が１μｍ以上の光吸収粒子（１５、１５、…）を含有することを特徴とする。
【００１４】
ここで「平均粒径が１μｍ以上」であることにおける「平均粒径が１μｍ」とは、重量分布法による粒度測定で、粒径が０．５μｍ以上で、１．５μｍより小さい粒子を対象とし、粒度分布において標準偏差が０．３μｍ以上であることを意味する。
【００１６】
請求項６に記載の発明は、請求項１〜５のいずれか一項に記載の光学シート（２０）における２枚の光学機能シート層（１２、２２）のうち一方を長手方向が垂直である光学機能シート層（２２）とするとともに他方を長手方向が水平である光学機能シート層（１２）とし、長手方向が垂直である光学機能シート層の光吸収部の斜面が成す角の平均角度が、長手方向が水平である光学機能シート層の光吸収部の斜面が成す角の平均角度よりも大きく形成され、及び／又は、長手方向が垂直である光学機能シート層の光吸収部のシート厚さ方向大きさが、長手方向が水平である光学機能シート層の光吸収部のシート厚さ方向大きさよりも小さく形成されていることを特徴とする。
【００１７】
ここで「平均角度」は次のように算出する。始めに、光吸収部の横断面においてシート厚さ方向に形成された辺（折れ線、曲線を含む。）の１つを１０等分する。次に該１０等分された各々の部分の両端を結ぶ直線を得る。従って上記辺に対して連続した１０本の直線を得ることができる。そして、各直線の各々について該直線がシート出光面の法線と成す角をさらに得て１０個の成す角を平均し、これを上記「平均角度」とする。
【発明の効果】
【００１９】
本発明によれば、以上のような構成を有する光学シートにより、当該光学シートがＰＤＰに直接接着された場合おいて、視野角特性を向上させることができ、高い透過率を広い視野角範囲で得ることができる。これにより従来に比べ広い範囲で明るい映像を見ることが可能となる。また、ゴーストの発生も抑制されるので質の高い映像を提供することができる。
【００２０】
さらに、光吸収部の斜辺を適切に折れ線状、又は曲線状にすれば、ゴースト発生をさらに抑制することが可能となり、これによっても質の高い映像を提供することができる。
【図面の簡単な説明】
【００２１】
【図１】第一実施形態にかかる本発明の光学シートの断面を示し、その層構成を模式的に表した図である。
【図２】図１に示した光学シートの一部を拡大して示した図である。
【図３】他の２つの実施形態にかかる本発明の光学シートの一部を拡大して示した図である。
【図４】第二実施形態にかかる本発明の光学シートの断面を示し、その層構成を模式的に表した図である。
【図５】本発明の光学シートがプラズマテレビに取り付けられた場面の該光学シート部分に着目して示した図である。
【図６】図５に示した光学シート内を通る光路を模式的に示した図である。
【図７】ゴースト像抑制の説明をするための図である。
【図８】実施例の結果を示す図である。
【発明を実施するための形態】
【００２２】
本発明の上記した作用及び利得は、次に説明する発明を実施するための形態から明らかにされる。以下本発明を図面に示す実施形態に基づき説明する。
【００２３】
図１は第一実施形態にかかる本発明の光学シート１０の断面を示し、その層構成を模式的に表した図である。図１では、見易さのため繰り返しとなる符号の一部は省略している（以降に示す各図において同じ。）。光学シート１０は、粘着剤層１１と、光学機能シート層１２と、基材層としてのＰＥＴフィルム層１７と、粘着剤層１８とがこの順で貼り合わせられている。以下に各層について説明する。
【００２４】
粘着剤層１１は、後述するようにＰＤＰ２（図５参照）に当該光学シート１０を貼り付けるための粘着剤が配置された層である。粘着剤層１１に用いられる粘着剤は光を透過するとともに、適切に光学シート１０を他に接着させることができればその材質は特に限定されるものではない。これには例えばアクリル系の共重合体等を挙げることができ、その粘着力は例えば数Ｎ／２５ｍｍ〜２０Ｎ／２５ｍｍ程度である。
【００２５】
光学機能シート層１２は、光学シート１０のシート面に直交する断面において断面が略台形であるプリズム部１６、１６、…と、該プリズム部１６、１６、…の間に配置された光吸収部１３、１３、…とを備えている。
【００２６】
プリズム部１６、１６、…は上底、下底をＰＤＰ２側、又は観察者側（図５参照）に面するように配置された略台形断面を有する要素である。また、プリズム部１６、１６、…は、屈折率Ｎｐを有する光透過性樹脂で構成されている。これは通常、電離放射線、紫外線等により硬化する特徴を有する例えばエポキシアクリレート等により形成されている。
【００２７】
光吸収部１３、１３、…は、上述したようにプリズム部１６、１６、…間に配置される部位で、ここには屈折率Ｎｂを有する物質が充填されたバインダー部１４、１４、…と光吸収粒子１５、１５、…とが含まれている。バインダー部１４、１４、…の屈折率Ｎｂである物質は、通常、電離放射線、紫外線等により硬化する特徴を有する例えばウレタンアクリレート等により構成されている。
【００２８】
ここで、本発明の光学シート１０では、上記プリズム部１６、１６、…を構成する物質の屈折率Ｎｐと、バインダー部１４、１４、…を構成する物質の屈折率Ｎｂとの関係は、Ｎｐ−Ｎｂで表される屈折率差が０．０５以上となるように構成されている。また、当該屈折率差は０．０６以上であることが好ましい。これは、従来の光学シートにおける屈折率差よりも大きく、これにより後述するように映像光の透過率を広い視野角で向上させることが可能となる。
【００２９】
光吸収粒子１５、１５、…は、平均粒径が１μｍ以上の粒子で、カーボン等の顔料又は赤、青、黄等の染料にて所定の濃度に着色されている。これには例えば市販の着色樹脂微粒子を使用することもできる。当該光吸収粒子１５、１５、…の屈折率Ｎｒは特に限定されるものではないが、バインダー部１４、１４、…の屈折率Ｎｂと異なる屈折率を有していることが好ましい。これにより光吸収粒子１５、１５、…とバインダー部１４、１４、…との界面でも光の反射等が起こり、観察者側に光を提供することができるからである。
【００３０】
次に光学機能シート層１２の形状について説明する。図２は、図１に示した光学シート１０の光学機能シート層１２のうち、１つの光吸収部１３と、その両側に配置されるプリズム部１６、１６に注目して示した図である。図２からわかるように、光吸収部１３の斜面（プリズム部１６、１６の斜面）は、１つの平面からではなく、２つの平面から構成されている。すなわち断面において折れ線状の斜面を有している。粘着剤層１１側（紙面左側）に配置される斜面は光学シート１０のシート面の法線に対して角度θ１を有している。一方、ＰＥＴフィルム層１７側（紙面右側）に配置される斜面は光学シート１０のシート面の法線に対して角度θ２を有している。この角度は、θ１＞θ２の関係であるとともにいずれも０度より大きく１０度以下の範囲である。好ましい角度は０度より大きく５度以下である。また、２つの斜面は、光学機能シート層１２の厚み方向にＬ１とＬ２に分ける位置で交差する。Ｌ１とＬ２とは同じ長さであることが好ましい。これにより、後述するようにゴースト像の原因となる映像光を拡散することができ、ゴーストの抑制が可能となる。
【００３１】
図１に戻り、光学シート１０の他の構成について説明する。ＰＥＴフィルム層１７は、該ＰＥＴフィルム層１７上に上記光学機能シート層１２を形成するためのベースとなるフィルム層で、ＰＥＴを主成分として形成されている。当該ＰＥＴフィルム層１７はＰＥＴを主成分として含有していれば良く、他の樹脂が含まれてもよい。ここで主成分とはＰＥＴフィルム層全体に対して５０質量％以上を意味する。また、各種添加剤を適宜な量添加してもよい。一般的な添加剤としては、フェノール系等の酸化防止剤、ラクトン系等の安定剤等を挙げることができる。
【００３２】
粘着剤層１８は、後述するように例えばプラズマテレビ１の他のシート等に光学シート１０を接着させるための粘着剤が配置された層である。粘着剤層１８に用いられる粘着剤は光を透過するとともに、適切に光学シート１０を他に接着させることができればその材質は特に限定されるものではない。これには例えばアクリル系の共重合体等を挙げることができ、その粘着力は例えば数Ｎ／２５ｍｍ〜２０Ｎ／２５ｍｍ程度である。
【００３３】
以上のような構成を有する光学シート１０により、当該光学シート１０がＰＤＰに直接積層された形式のプラズマテレビにおいてゴーストを抑制し、視野角特性を向上させることが可能となる。その詳細は後で説明する。
【００３４】
図３に変形例にかかる本発明の光学シート１０’、１０’’の図２に対応する図を示した。他の部分については上記した光学シート１０の説明が該当するのでここでは説明を省略する。図３（ａ）に示した変形例の光学シート１０’は、光吸収部１３’の斜面が４つの角度の異なる平面により構成されている。このとき各平面はシート面の法線に対してθ１〜θ４を角度を有するように順次連続して配置される。各角度は、θ１＞θ２＞θ３＞θ４の関係を有するとともにいずれの角度も０〜１０度である。このように、光吸収部の斜面を構成する平面は複数の平面が連続することにより構成されればよく、平面の数は特に限定されるものではない。
【００３５】
図３（ｂ）に示した変形例の光学シート１０’’では、光学シート１０の光吸収部１３の上記斜面の部分が曲面により構成されている。これによりさらに効率的に光を反射、及び拡散することができる。曲面の形状は特に限定されるものではないが、光吸収部側に凹である条件を備える曲面が好ましい。ここで、当該曲面もいずれの部位においてもシート面の法線に対して０〜１０度であることが好ましい。曲面における角度は、図３（ｂ）に現れる曲線をシート厚さ方向（紙面左右方向）に１０等分し、各曲線の端部同士を結ぶ直線と上記法線との角度により定義する。
【００３６】
図４は第二実施形態にかかる本発明の光学シート２０の断面で、層構成を模式的に表した図である。本実施形態の光学シート２０は、第一実施形態の光学シート１０の光学機能シート層１２とＰＥＴフィルム層１７との間にもう１枚の光学機能シート層２２が挟まれて配置されたものである。このとき、プリズム部２６及び光吸収部（図には表れない。）が光学機能シート層１２のプリズム部１６、１６、…及び光吸収部１３、１３、…と直交するように配置される。従って、光学機能シート２２のプリズム部２６と光吸収部とは紙面奥／手前方向に交互に並列されている。光学シート２０のこのような構成により、映像光の水平方向成分及び垂直方向成分のいずれに対しても本発明の効果を得ることができる。
【００３７】
また、光学機能シート層１２の光吸収部１３の斜面が有する角（図２におけるθ１、θ２）と同様に定義される光学機能シート層２２の光吸収部の斜面が有する角とは同じであっても異なっていても良い。しかし、該斜面が有する角の平均角度において、光吸収部が長手方向を垂直として配置されている光学機能シート層２２の当該平均角度の方が、光吸収部が長手方向を水平として配置されている光学機能シート層１２の当該平均角度よりも大きいことが好ましい。また、光学機能シート層２２の光吸収部のシート厚さ方向大きさは、光学機能シート１２の光吸収部１３、１３、…のシート厚さ方向大きさと同じであってもよいし異なっていてもよいが、小さく形成されていることが好ましい。
【００３８】
ここで上記で説明した本発明の光学シートにおいて、基材層については、その材料は必ずしもＰＥＴであることは必要なく、ポリブチレンテレフタレート樹脂（ＰＢＴ）、又はポリトリメチレンテレフタレート（ＰＴＴ）樹脂等の「ポリエステル系樹脂」を用いることができる。本実施形態では、性能に加え、量産性、価格、入手可能性等の観点からＰＥＴを主成分とする樹脂が好ましい材料であるとして説明した。
【００３９】
さらに、基材層は、光学シート１０に示した位置の他に、粘着剤層１１と光学機能シート層１２との間にも設けられてもよい。また、光学シート１０には、赤外線カットフィルム層、電磁波シールド層、反射を防止するフィルム層等の機能フィルム層等の他の光学的な層が備えられていてもよい。これら赤外線カットフィルム層、電磁波シールド層、反射を防止するフィルム層等の機能フィルム層等の他の光学的な層は光学シート１０のいずれの位置に配置されてもよいが、光学機能シート層１２が粘着剤層１１を除いて最も光源側に配置されることが好ましい。
【００４０】
本発明の光学シート１０の光学機能シート層１２は、例えば次のようにＰＥＴフィルム層１７上に形成される。すなわち、まず、ＰＥＴフィルムの一面側に、液状のプリズム部となる材料を塗布する。次に、プリズム部形状を形成するロール金型とＰＥＴフィルムとの間に、上記プリズム部となる材料を挟んだ状態で紫外線を照射することにより硬化させ、プリズム部を形成する。
【００４１】
そして、上記形成されたプリズム部の間に、透明樹脂中に黒色の光吸収粒子が添加された材料をスキージして充填し、硬化して光吸収部を形成する。
【００４２】
次に、以上のような本発明の光学シート１０がＰＤＰ２に取り付けられた時の構成及びそのときの光路等について説明する。図５は光学シート１０がＰＤＰ２に取り付けられ、当該ＰＤＰ２及び光学シート１０が表示装置としてのプラズマテレビ１に備えられたときの該ＰＤＰ２及び光学シート１０の部分に注目して示した断面図である。図５では紙面右が観察者側である。図６は、１つの光吸収部１３とその両側に配置されるプリズム部１６、１６に着目し、光路の例を示した図である。
【００４３】
図５に示したように、本発明の光学シート１０は、映像源であるＰＤＰ２に直接積層されている。これにより上記効果を奏する表示装置を提供することができる。
【００４４】
次に光路について説明する。プリズム部１６、１６に入射する光はＰＤＰ２からの光Ｌ１、Ｌ２、Ｌ１１、Ｌ１２、Ｌ２１及び外光Ｌ３１に大別することができる。そしてＰＤＰ２からの光Ｌ１、Ｌ２、Ｌ１１、Ｌ１２、Ｌ２１は、さらに、直接プリズム部１６、１６を透過する光Ｌ１、Ｌ２と、光吸収部１３との界面で反射する光Ｌ１１、Ｌ１２と、光吸収部１３に入り、光吸収粒子１５により吸収される光Ｌ２１とに分けることができる。
【００４５】
外光Ｌ３１は、光吸収粒子１５により吸収される。外光の全てが光Ｌ３１のように光吸収粒子１５、１５、…により吸収されることはないが、少なくもと一部の外光が吸収される。これにより外光が映像光に及ぼす影響を低減させることができ、コントラストを向上させることが可能となる。このように本発明ではコントラストを向上させることができる。
【００４６】
透過率とは、プリズム部１６を透過した光の量により定義され、これは観察者にとって映像の明るさとして認識されるものである。ここに観察者に到達することのできる光としては、図６に示した光では、光Ｌ１、Ｌ２、Ｌ１１、Ｌ１２を挙げることができる。すなわち、ＰＤＰ２から直接プリズム部１６を透過する光Ｌ１、Ｌ２の他に光吸収部１３との界面で反射してプリズム部１６を透過する光Ｌ１１、Ｌ１２も透過率に大きく寄与する。そして本発明の光学シート１０では上述のように、プリズム部１６、１６と、バインダー部１４との屈折率差を大きくしている。従って、屈折率差が小さい場合に比べ、全反射する臨界角が小さくなるため、より多くの映像光を吸収させず、観察者側に反射することができる。これにより、本発明の光学シート１０ではＰＤＰ２からの光を多く透過させることができ、透過率の高い視野角の範囲も大きくすることが可能となる。
【００４７】
ゴースト像の発生にはいくつかの要因が考えられるが、そのうちの１つとして、ＰＤＰ２から直接投射される光（例えば光Ｌ１、Ｌ２）及び、光吸収部１３で反射した光のいずれもが少しずれを生じて観察者に映像として認識されることによる場合を挙げることができる。すなわち光吸収部１３で反射した映像光が映像として強く観察者側に投射されることにより生じるものである。そこで、本発明の光学シート１０では、上述のように光吸収部１３の斜面が角度の異なる２つの平面の組み合わせにより構成されている。従って、図６に示した光Ｌ１１及びＬ１２は、異なる平面で反射されるので、反射光が異なる方向に拡散されて投射される。これにより光吸収部１３で反射した光は観察者には映像として強くは認識されず、ゴースト像が発生しない。このように本発明の光学シート１０によりゴーストの発生を抑制することが可能となる。
【００４８】
また、本発明の光学シート１０は上記のようにＰＤＰ２の映像投射側に直接接着されるが、これによってもゴースト像の発生を抑制することができる。詳しくは次の通りである。図７（ａ）は、本発明の光学シート１０が備えられたプラズマテレビにおける映像光の光路の例を説明するための模式図である。また、図７（ｂ）は比較のために示した従来の方式、すなわち光学シートがＰＤＰから離れて配置されているプラズマテレビの光路例の模式図である。
【００４９】
従来の方式のプラズマテレビにおいては、図７（ｂ）に示したようにＰＤＰ１０２の異なる位置ｙ１１１及びｙ１１２から投射された映像光Ｌ１１１、Ｌ１１２は、同一のプリズム部１１６から観察者に提供される。従って観察者はほぼ同じ位置に異なる位置から投射された映像光を見ることになる。従って、これがゴーストとして観察されてしまう。
【００５０】
一方、本発明の光学シート１０が備えられたプラズマテレビ１では、図７（ａ）に示したように、同一のプリズム部１６から観察者に提供される映像光Ｌ１０１、Ｌ１０２は、ＰＤＰ２の位置ｙ１０１、ｙ１０２のようにその間隔が狭いのでわずかにゴーストは生じてはいるものの目立たない。このように、本発明の光学シート１０をプラズマディスプレイパネルに直接積層させることにより、直張り方式の良好な光学特性を得ることができ、ゴーストの低減を図ることができる。
【００５１】
ここでは、光学シート１０を例に説明したが、該光学シートが上記した他の実施形態にかかる光学シート１０’、１０’’、２０であっても同様の説明が該当し、その効果を有する。
【実施例】
【００５２】
以上のような構成を備える光学シートに関して、以下に実施例を示し、さらに詳しく説明する。ただし、本発明は実施例の範囲に限定されるものではない。
【００５３】
実施例では、プリズム部の屈折率Ｎｐと光吸収部に充填されるバインダー屈折率Ｎｂとの差を変えた場合における視野角及び透過率への影響を試験した。以下にその内容を説明する。
【００５４】
＜試験条件＞
垂直に固定したＰＤＰの中心から正面方向１ｍの位置に輝度計を設置し、光学シートを配置しないで輝度２００ｎｉｔとなるようにＰＤＰを白表示させた時を透過率１００％とした。これに対してＰＤＰ映像投射側に光学シートを直接積層させて輝度を測定し、上記２００ｎｉｔとの比をとって透過率とした。
本実施例では数種類の垂直視野角について透過率を測定しているが、このときには輝度計を対応する角度となるように上又は下に移動させて輝度を測定することにより得た。
また、本実施例ではコントラストも測定している。これは、ＰＤＰの画面中心に上４５度から照度１５０ｌｘとなるように外光を照射し、ＰＤＰにより画面を白く表示させた場合と、黒画面とした場合との輝度の比をコントラスト比とした。
【００５５】
＜試験試料＞
試験に供した試料の構成を表１に示した。ここでは、屈折率差（Ｎｐ−Ｎｂ）を変化させ他の条件は同じとした。
【００５６】
【表１】
0005472352.tif 000002
【００５７】
＜結果＞
結果を表２及び図８に示した。図８は各実施例及び比較例の光学シートにおける視野角と透過率との関係を示す。正の視野角は光学シート中心より上方、負の視野角は光学シート中心より下方であることを示す。また、表２には視野角が０度のときの透過率、透過率が７０％以上となる視野角の範囲、及びコントラストを示した。
【００５８】
【表２】
0005472352.tif 000003
【００５９】
表２及び図８からわかるように、実施例１、２の光学シートでは十分な透過率を維持しつつ透過率が高い視野角の範囲を広くすることができ、視野角特性を改善することができた。また、コントラストも屈折率差が０．００である比較例２には劣るものの、比較例１に比べて大きな差はない。
【符号の説明】
【００６０】
１  プラズマテレビ
２  プラズマディスプレイパネル（ＰＤＰ）
１０  光学シート
１１  粘着剤層
１２  光学機能シート層
１３  光吸収部
１４  バインダー部
１５  光吸収粒子
１６  プリズム部
１７  ＰＥＴフィルム層
２０  光学シート
２２  光学機能シート層（長手方向が垂直である光学機能シート層）
【図１】
0005472352.tif 000004
【図２】
0005472352.tif 000005
【図３】
0005472352.tif 000006
【図４】
0005472352.tif 000007
【図５】
0005472352.tif 000008
【図６】
0005472352.tif 000009
【図７】
0005472352.tif 000010
【図８】
0005472352.tif 000011